(57)【特許請求の範囲】
【請求項１】
内部導体を内部絶縁被覆で覆ってなる内部電線と、この内部電線を覆う外部導体と、この外部導体を覆う外部絶縁被覆とを備えたシールドケーブルの、外部絶縁被覆から露出した外部導体を外部絶縁被覆の外側に折り返し且つ外部導体から内部電線を露出させてなる反転終端に接続されることになる突き当てシールドコネクタ組立キットであって、
内部導体が接続されることになる導電性のコンタクトと、
互いに直交する奥行き方向、幅方向、及び高さ方向をとったときに、このコンタクトが奥行き方向の手前側から取り付けられることになる絶縁性のハウジングと、
ハウジングの少なくとも一部に外側から嵌まることになる嵌合体と、この嵌合体の奥行き方向手前側に配置されて嵌合体に一体的に設けられ、高さ方向の高い側に向かって開放された開放体と、この開放体の奥行き方向手前側に配置されて開放体に一体的に設けられ、高さ方向の高い側へ立ち上がるかしめ片を有して奥行き方向にみてほぼＵ字形に形成され、かしめ片が反転終端の折り返された外部導体に締め付け力をもって抱き付くことで反転終端に圧着接続することになるバレルとを備えた導電性の基本シェルと、
この基本シェルの開放体を開放側から覆い、嵌合体の内部空間に連通する内部空間を形成するように基本シェルに取り付けられることになるカバー片と、このカバー片から奥行き方向手前側へ延び、先端が反転終端におけるほぼ外部導体の折り返し部分に相当する高さに位置づけられる支持片とを有する導電性のカバーシェルとを備えた突き当てシールドコネクタ組立キット。
【請求項２】
基本シェルがハウジングと分離して用意されるのではなく、基本シェルの嵌合体がハウジングの少なくとも一部に外側から嵌っており、このハウジングと基本シェルとにより、コネクタ本体を構成している請求項１の突き当てシールドコネクタ組立キット。
【請求項３】
コンタクトがハウジングと分離して用意されるのではなく、コンタクトがハウジングに取り付けられている請求項１又は請求項２の突き当てシールドコネクタ組立キット。
【請求項４】
内部導体を内部絶縁被覆で覆ってなる内部電線と、この内部電線を覆う外部導体と、この外部導体を覆う外部絶縁被覆とを有し、終端が、外部絶縁被覆から露出した外部導体を外部絶縁被覆の外側に折り返し且つ外部導体から内部電線を露出させてなる反転終端となったシールドケーブルと、このシールドケーブルの反転終端に接続された突き当てシールドコネクタとを備えたシールドケーブルハーネスであって、
この突き当てシールドコネクタが、
内部導体が接続された導電性のコンタクトと、
互いに直交する奥行き方向、幅方向、及び高さ方向をとったときに、このコンタクトが奥行き方向の手前側から取り付けられた絶縁性のハウジングと、このハウジングの少なくとも一部に外側から嵌まった嵌合体と、この嵌合体の奥行き方向手前側に配置されて嵌合体に一体的に設けられ、高さ方向の高い側に向かって開放された開放体と、この開放体の奥行き方向手前側に配置されて開放体に一体的に設けられ、高さ方向の高い側へ立ち上がり、反転終端の折り返された外部導体に締め付け力をもって抱き付いたかしめ片を有して反転終端に圧着接続したバレルとを備えた導電性の基本シェルと、
この基本シェルの開放体を開放側から覆い、嵌合体の内部空間に連通する内部空間を形成するように基本シェルに取り付けられたカバー片と、このカバー片から奥行き方向手前側へ延び、先端が反転終端におけるほぼ外部導体の折り返し部分に相当する高さに位置づけられた支持片とを有する導電性のカバーシェルとを備えたシールドケーブルハーネス。
【発明の詳細な説明】
【技術分野】
【０００１】
本発明は、電気コネクタの技術分野に属し、シールドケーブルの終端に組み付けられるシールドコネクタ組立キットと、シールドケーブル及びその終端に接続したシールドコネクタを備えたシールドケーブルハーネスとに関する。
【背景技術】
【０００２】
特許文献１が従来の技術として開示する同軸コネクタの先端部は、中心コンタクトと、中心コンタクトが固定されるケーブルの中心導体と、中心導体を被覆するケーブルの数本の内被と、中心コンタクト、中心導体及び各内被を収容するインシュレータと、インシュレータを被覆する外部導体と称するカシメ部材とから構成される。同軸コネクタの中央部は、中心導体から順次外側に各内被、ケーブルの多数のシールド線、ケーブルの外被、フェルール、カシメ状態のシールド線及び切削により加工された六角形のカシメ部材が配設されることによって構成される。各シールド線とカシメ部材の結線は、六角カシメ方法によって行われる。
【０００３】
【特許文献１】特開２００５−１４９９７２号公報
【発明の開示】
【発明が解決しようとする課題】
【０００４】
特許文献１の同軸コネクタでは、六角形のカシメ部材がかしめる力がフェルールで受け止められることでシールド線がカシメ部材とフェルールとで挟持され、これによって同軸ケーブルと同軸コネクタとの引っ張りに対する接続強度が確保される。しかし、同軸コネクタとは別にフェルールを用いるので、部品点数が増えることになる。また、同軸ケーブルに同軸コネクタを接続するときには、予め円筒形のフェルールを同軸ケーブルに通しておかなければならず、これが煩雑な作業であることから、接続作業性がよくない。
【０００５】
本発明は、このような点に着目してなされたもので、その目的とするところは、ハウジングをシールド用のシェルで覆ってなるシールドコネクタであってシールドケーブルの接続作業を容易とするためにシェルを分割したものを対象とし、その一方のシェルから延ばした比較的小さな支持片をシールドケーブルの外部導体に対峙させることにより、シールドケーブルとシールドコネクタとの引っ張りに対する接続強度を確保しながら、シールドコネクタとシールドケーブルとの接続に要する部品点数を減らし、接続作業性を改善することにある。
【課題を解決するための手段】
【０００６】
本発明の突き当てシールドコネクタ組立キットは、内部導体を内部絶縁被覆で覆ってなる内部電線と、この内部電線を覆う外部導体と、この外部導体を覆う外部絶縁被覆とを備えたシールドケーブルの、外部絶縁被覆から露出した外部導体を外部絶縁被覆の外側に折り返し且つ外部導体から内部電線を露出させてなる反転終端に接続されることになる。この突き当てシールドコネクタ組立キットは、内部導体が接続されることになる導電性のコンタクトと、互いに直交する奥行き方向、幅方向、及び高さ方向をとったときに、このコンタクトが奥行き方向の手前側から取り付けられることになる絶縁性のハウジングと、ハウジングの少なくとも一部に外側から嵌まることになる嵌合体と、この嵌合体の奥行き方向手前側に配置されて嵌合体に一体的に設けられ、高さ方向の高い側に向かって開放された開放体と、この開放体の奥行き方向手前側に配置されて開放体に一体的に設けられ、高さ方向の高い側へ立ち上がるかしめ片を有して奥行き方向にみてほぼＵ字形に形成され、かしめ片が反転終端の折り返された外部導体に締め付け力をもって抱き付くことで反転終端に圧着接続することになるバレルとを備えた導電性の基本シェルと、この基本シェルの開放体を開放側から覆い、嵌合体の内部空間に連通する内部空間を形成するように基本シェルに取り付けられることになるカバー片と、このカバー片から奥行き方向手前側へ延び、先端が反転終端におけるほぼ外部導体の折り返し部分に相当する高さに位置づけられる支持片とを有する導電性のカバーシェルとを備えている。
【０００７】
シールドケーブルの終端は、外部絶縁被覆から露出した外部導体を外部絶縁被覆の外側に折り返し、外部導体から内部電線を露出させて反転終端にしておく。そして、コンタクトをシールドケーブルの反転終端における内部導体に接続し、この内部電線付きのコンタクトをハウジングに奥行き方向の手前側から取り付け、シールドケーブルの終端をバレルのなかに配置する。次いで、カバーシェルのカバー片で基本シェルの開放体を開放側から覆い、カバー片を基本シェルに取り付けると、カバーシェルの支持片の先端が、反転終端におけるほぼ外部導体の折り返し部分に相当する高さに位置づけられる。そして、かしめ片を、反転終端の折り返された外部導体に締め付け力をもって抱き付かせて反転終端にバレルを圧着接続する。そうすると、シールドケーブルと、このシールドケーブルの反転終端に接続された突き当てシールドコネクタとを備えたシールドケーブルハーネスができる。そして、この突き当てシールドコネクタを相手側シールドコネクタに接続すると、コンタクトが相手側シールドコネクタのコンタクトと接触する。また、外部導体が基本シェル及びカバーシェルに導通するので、基本シェル又はカバーシェルが相手側シールドコネクタの導電部に接触するようにすれば、両方のシールドコネクタのシールドが良好に行われる。
【０００８】
シールドケーブルと突き当てシールドコネクタが互いに離れる方向へ引っ張られると、かしめ片が、それが抱き付いている折り返された外部導体を突き当てシールドコネクタ側へ持っていき、さらに外部絶縁被覆のなかの内部電線及び外部導体が突き当てシールドコネクタから離れる方向へ引っ張られるが、支持片の先端が反転終端における外部導体の折り返し部分に突き当たり、外部導体が突き当てシールドコネクタから離れる方向へ引きずられることを阻止するので、シールドケーブルと突き当てシールドコネクタが互いに離れる方向へ移動することが防止される。そのため、シールドケーブルと突き当てシールドコネクタとの引っ張りに対する接続強度が確保される。その場合、突き当てシールドコネクタと別にフェルールを設ける必要がないので、突き当てシールドコネクタとシールドケーブルとの接続に要する部品点数が減る。また、シールドケーブルの外部導体の内側に円筒形のフェルールを設けるときにはシールドコネクタをシールドケーブルに接続する前に予めフェルールをシールドケーブルに通しておく必要がある。これに対し、本発明の突き当てシールドコネクタ組立キットを用いれば、カバーシェルのカバー片で基本シェルの開放体を開放側から覆い、カバー片を基本シェルに取り付ければよいので、シールドケーブルへの突き当てシールドコネクタの接続作業が比較的容易であり、接続作業性がよい。
【０００９】
本発明の突き当てシールドコネクタ組立キットは、基本シェルがハウジングと分離して用意されるのではなく、基本シェルの嵌合体がハウジングの少なくとも一部に外側から嵌っており、このハウジングと基本シェルとにより、コネクタ本体を構成していてもよい。
【００１０】
基本シェルがハウジングと分離して用意された突き当てシールドコネクタ組立キットでは、基本シェルに邪魔されることなく内部電線のコンタクトへの接続、又はコンタクトのハウジングへの取り付けが行われるので、作業性がよい。一方、このようにハウジングと基本シェルとによりコネクタ本体を構成すれば、ハウジングの基本シェルへの組み付けが不要となり、また突き当てシールドコネクタ組立キットの部品点数が減る。
【００１１】
本発明の突き当てシールドコネクタ組立キットは、コンタクトがハウジングと分離して用意されるのではなく、コンタクトがハウジングに取り付けられていてもよい。
【００１２】
コンタクトがハウジングと分離して用意された突き当てシールドコネクタ組立キットは、例えば内部電線のコンタクトへの接続を圧着などにより行うときに、接続作業がしやすく、圧着コンタクトの使用時に好適である。一方、このようにコンタクトをハウジングに取り付けたときには、例えば、内部電線のコンタクトへの接続をハンダ付けにより行うとき、圧接により行うとき、又はピアシングにより行うときなどに、接続作業がしやすく、しかも内部電線付きのコンタクトをハウジングに奥行き方向の手前側から取り付ける手間が省けることから、これらのコンタクトの使用時に好適である。
【００１３】
本発明のシールドケーブルハーネスは、内部導体を内部絶縁被覆で覆ってなる内部電線と、この内部電線を覆う外部導体と、この外部導体を覆う外部絶縁被覆とを有し、終端が、外部絶縁被覆から露出した外部導体を外部絶縁被覆の外側に折り返し且つ外部導体から内部電線を露出させてなる反転終端となったシールドケーブルと、このシールドケーブルの反転終端に接続された突き当てシールドコネクタとを備えている。この突き当てシールドコネクタは、内部導体が接続された導電性のコンタクトと、互いに直交する奥行き方向、幅方向、及び高さ方向をとったときに、このコンタクトが奥行き方向の手前側から取り付けられた絶縁性のハウジングと、このハウジングの少なくとも一部に外側から嵌まった嵌合体と、この嵌合体の奥行き方向手前側に配置されて嵌合体に一体的に設けられ、高さ方向の高い側に向かって開放された開放体と、この開放体の奥行き方向手前側に配置されて開放体に一体的に設けられ、高さ方向の高い側へ立ち上がり、反転終端の折り返された外部導体に締め付け力をもって抱き付いたかしめ片を有して反転終端に圧着接続したバレルとを備えた導電性の基本シェルと、この基本シェルの開放体を開放側から覆い、嵌合体の内部空間に連通する内部空間を形成するように基本シェルに取り付けられたカバー片と、このカバー片から奥行き方向手前側へ延び、先端が反転終端におけるほぼ外部導体の折り返し部分に相当する高さに位置づけられた支持片とを有する導電性のカバーシェルとを備えている。
【００１４】
このシールドケーブルハーネスにおける突き当てシールドコネクタを相手側シールドコネクタに接続すると、コンタクトが相手側シールドコネクタのコンタクトと接触する。また、外部導体が基本シェル及びカバーシェルに導通するので、基本シェル又はカバーシェルが相手側シールドコネクタの導電部に接触するようにすれば、両方のシールドコネクタのシールドが良好に行われる。シールドケーブルと突き当てシールドコネクタが互いに離れる方向へ引っ張られると、かしめ片が、それが抱き付いている折り返された外部導体を突き当てシールドコネクタ側へ持っていき、さらに外部絶縁被覆のなかの内部電線及び外部導体が突き当てシールドコネクタから離れる方向へ引っ張られるが、支持片の先端が反転終端における外部導体の折り返し部分に突き当たり、外部導体が突き当てシールドコネクタから離れる方向へ引きずられることを阻止するので、シールドケーブルと突き当てシールドコネクタが互いに離れる方向へ移動することが防止される。そのため、シールドケーブルと突き当てシールドコネクタとの引っ張りに対する接続強度が確保される。その場合、突き当てシールドコネクタと別にフェルールを設ける必要がないので、突き当てシールドコネクタとシールドケーブルとの接続に要する部品点数が減る。また、シールドケーブルの外部導体の内側に円筒形のフェルールを設けるときにはシールドコネクタをシールドケーブルに接続する前に予めフェルールをシールドケーブルに通しておく必要がある。これに対し、本発明の突き当てシールドコネクタ組立キットを用いれば、支持片を反転終端又は単純終端における外部導体の高い部分と内部電線との間に挿入し、カバーシェルのカバー片で基本シェルの開放体を開放側から覆い、カバー片を基本シェルに取り付ければよいので、シールドケーブルへの突き当てシールドコネクタの接続作業が比較的容易であり、接続作業性がよい。
【発明の効果】
【００１５】
本発明の突き当てシールドコネクタ組立キット及びシールドケーブルハーネスは、シールドケーブルと突き当てシールドコネクタとの引っ張りに対する接続強度を確保しながら、突き当てシールドコネクタとシールドケーブルとの接続に要する部品点数を減らすことができ、また接続作業性を改善することができる。
【００１６】
基本シェルがハウジングと分離して用意された突き当てシールドコネクタ組立キットでは、基本シェルに邪魔されることなく内部電線のコンタクトへの接続、又はコンタクトのハウジングへの取り付けが行われるので、作業性がよい。一方、このようにハウジングと基本シェルとによりコネクタ本体を構成すれば、ハウジングの基本シェルへの組み付けが不要となり、また突き当てシールドコネクタ組立キットの部品点数が減る。
【００１７】
コンタクトがハウジングと分離して用意された突き当てシールドコネクタ組立キットは、内部電線のコンタクトへの接続を圧着などにより行うときに、接続作業がしやすく、圧着コンタクトの使用時に好適である。一方、このようにコンタクトをハウジングに取り付けたときには、内部電線のコンタクトへの接続をハンダ付けにより行うとき、圧接により行うとき、又はピアシングにより行うときなどに、接続作業がしやすく、これらのコンタクトの使用時に好適である。
【発明を実施するための最良の形態】
【００１８】
以下、本発明の実施の形態を説明する。図１は本発明の突き当てシールドコネクタ組立キットの一つの実施形態を示す。この突き当てシールドコネクタ組立キットＸは、シールドケーブル４００の終端に組み付けられて突き当てシールドコネクタＹとなる。そして、シールドケーブル４００と、このシールドケーブル４００の終端に接続した突き当てシールドコネクタＹとにより、シールドケーブルハーネスＺが構成される。
【００１９】
図６に示すように、シールドケーブル４００は、内部導体４１１を内部絶縁被覆４１２で覆ってなる内部電線４１０と、この内部電線４１０を覆う外部導体４２０と、この外部導体４２０を覆う外部絶縁被覆４３０とを備えている。内部絶縁被覆４１２及び外部絶縁被覆４３０は樹脂で形成され、内部導体４１１は金属線を束ねて形成され、外部導体４２０は金属線を編んでなる編組線である。しかし、本発明が対象とするシールドケーブルは、内部導体を内部絶縁被覆で覆ってなる内部電線と、この内部電線を覆う外部導体と、この外部導体を覆う外部絶縁被覆とを備えておればよく、また、それ以外の要素を含んでいてもよい。それ以外の要素としては、例えば内部電線と外部導体との間に、これらを仕切るように設けられた中間絶縁被覆がある。また、この実施形態によって本発明が対象とするシールドケーブルの内部導体、内部絶縁被覆、外部導体、外部絶縁被覆の構成が限定解釈されることはなく、例えば外部導体は金属箔であってもよい。この実施形態のシールドケーブル４００は、複数の内部電線４１０が外部導体４２０のなかに収容されている。図６では外部導体４２０のなかで二本の内部電線４１０が平行になるように収容されているが、これによって本発明の対象とするシールドケーブルが内蔵する内部電線の本数、配置が限定されることはない。本発明の対象とするシールドケーブルは、外部導体のなかで複数の内部電線を撚り合わせて収容され、内部電線が螺旋状になって互いに絡んでいてもよい。したがって、二本の内部電線を撚り合せたシールドケーブルであるツイストペア線も本発明の対象となる。図６では一本のシールドケーブル４００に含まれる内部電線４１０の太さが同一であるが、太さの異なる複数の内部電線を有するシールドケーブルも本発明の対象となる。また、内部電線が一本であるシールドケーブルも本発明の対象となる。この実施形態では、シールドケーブル４００の終端は、外部絶縁被覆４３０から露出した外部導体４２０を外部絶縁被覆４３０の外側に折り返し、外部導体４２０から内部電線４１０を露出させて反転終端に形成されている。
【００２０】
以下、互いに直交する奥行き方向、幅方向、及び高さ方向を想定し、これらの方向付けを利用して説明する。図１及び図２に示すように、上記突き当てシールドコネクタ組立キットＸは、導電性のコンタクト１００と、絶縁性のハウジング２１０と、導電性の基本シェル２２０と、導電性のカバーシェル３００とを備えている。この実施形態の突き当てシールドコネクタ組立キットＸでは、基本シェル２２０をハウジング２１０と分離して用意するのではなく、基本シェル２２０における後述する嵌合体２２１がハウジング２１０の少なくとも一部に外側から嵌っており、このハウジング２１０と基本シェル２２０とにより、コネクタ本体２００を構成している。したがって、この実施形態では、上記突き当てシールドコネクタ組立キットＸは、導電性のコンタクト１００と、コネクタ本体２００と、導電性のカバーシェル３００とを備えている。しかし、本発明は、ハウジングに基本シェルを組み付けず、基本シェルをハウジングと分離して用意した突き当てシールドコネクタ組立キットの実施形態を含んでいる。この実施形態の突き当てシールドコネクタ組立キットＸでは、コンタクト１００をハウジング２１０と分離して用意した。しかし、本発明は、コンタクトをハウジングと分離して用意するのではなく、コンタクトをハウジングに取り付けた突き当てシールドコネクタ組立キットの実施形態を含んでいる。
【００２１】
図１に示すように、コンタクト１００は金属製の細長い板片により形成された雄形コンタクトであって、一端の片面に接触部１１０が設けられ、他端に接続部１２０が設けられている。コンタクト１００は、内部電線４１０の数に応じた数だけあり、この実施形態では二本備えられている。この実施形態の場合、内部電線４１０のコンタクト１００への接続を圧着により行うようにしており、コンタクト１００が圧着形である。そのため、接続部１２０には奥行き方向の奥側に高さ方向にかしめ片が立ち上がって奥行き方向にみてほぼＵ字形のワイヤバレル１２１が設けられ、その手前に高さ方向にかしめ片が立ち上がって奥行き方向にみてほぼＵ字形のインシュレーションバレル１２２が設けられている。そして、ワイヤバレル１２１をシールドケーブル４００の終端の内部導体４１１にかしめ、インシュレーションバレル１２２を内部絶縁被覆４１２にかしめることで、シールドケーブル４００の終端の内部導体４１１がコンタクト１００の接続部１２０に接続される。内部電線のコンタクトへの接続をハンダ付けにより行うときは、コンタクトの接続部はハンダ付けが可能な形状に形成される。また、内部電線のコンタクトへの接続を圧接により行うときは、コンタクトが圧接形となり、そのときは接続部は圧接スロットになる。さらに、内部電線のコンタクトへの接続をピアシングにより行うときは、コンタクトがピアシング形となり、そのときは接続部は内部電線を突き刺す突片状のピアシング片になる。コンタクトは雌形であってもよい。この実施形態によって本発明のコンタクトの形状、数などが限定解釈されることはなく、コンタクトは内部導体が接続されるように構成された導電性の部材であればよい。
【００２２】
ハウジング２１０の奥行き方向の奥側には嵌合部２１１が突出している。また、ハウジング２１０にはコンタクト１００が装着される収容部２１２が設けられており、ここに上記コンタクト１００が奥行き方向の手前側から取り付けられる。この収容部２１２はハウジング２１０を奥行き方向に貫通し、さらに嵌合部２１１の高さ方向の一方側の面では溝となっている。そして、収容部２１２に奥行き方向の手前側からコンタクト１００を挿入すると、コンタクト１００の接触部１１０が収容部２１２の溝に嵌り、高さ方向の一方側に露出するようになっている。収容部２１２は、コンタクト１００の数に応じた数だけあり、この実施形態では二つ設けられている。収容部２１２は幅方向に並べられているが、これによって本発明の突き当てシールドコネクタ組立キットのハウジングにおける収容部の配列が限定解釈されることはない。
【００２３】
上記基本シェル２２０は、ハウジング２１０に固定された筒形の嵌合体２２１と、この嵌合体２２１の奥行き方向手前側に配置されて嵌合体２２１に一体的に設けられた開放体２２２と、この開放体２２２の奥行き方向手前側に配置されて開放体２２２に一体的に設けられたバレル２２３とを備えている。嵌合体２２１は、ハウジング２１０に外側から嵌合しており、ハウジング２１０を覆っている。嵌合体は、ハウジングの少なくとも一部を覆っておればよい。嵌合体はハウジングに他の方法で固定してもよく、例えば嵌合体をハウジングと一体成型することで嵌合体をハウジングに固定してもよい。一体成形は、例えば、コネクタ本体の成形型に基本シェルを入れてハウジングを成形することで行われる。開放体２２２は、嵌合体２２１の幅方向両側の片及び高さ方向の低い側の片から奥行き方向の手前側へそれぞれ延びた片によって形成されており、奥行き方向にみてほぼＵ字形に形成されている。そして、高さ方向の高い側には片が無く、そのため、高さ方向の高い側に向かって開放された形状になっている。バレル２２３は、開放体２２２の幅方向両側の片及び高さ方向の低い側の片から奥行き方向の手前側へそれぞれ延びた片と、このうち幅方向両側にある片に一体的に設けられ、これらの片から高さ方向の高い側へ立ち上がるかしめ片２２３ａとを備えており、バレル２２３は奥行き方向にみてほぼＵ字形に形成されている。かしめ片２２３ａは幅方向にほぼ対向して一対設けられているが、いずれか一方だけを設けてもよい。そして、シールドケーブル４００の反転終端の折り返された外部導体４２０を、バレル２２３の上に置き、かしめ片２２３ａを幅方向の内側に曲げると、かしめ片２２３ａが外部導体４２０に締め付け力をもって抱き付き、これによってバレル２２３が反転終端に圧着接続するようになっている。図５では、かしめ片２２３ａが外部導体４２０のほぼ全周にわたって抱き付いているが、かしめ片が外部導体の高さ方向のほぼ中途部よりも高い側まで至っておればよい。
【００２４】
上記カバーシェル３００は、基本シェル２２０に取り付けられることになるカバー片３１０と、このカバー片３１０の奥行き方向手前側に配置されてカバー片３１０に一体的に設けられた支持片３２０とを備えている。カバー片３１０は、高さ方向にほぼ直交する板片であって基本シェル２２０の開放体２２２の開放部の形状に対応した形状の横片３１１と、幅方向にほぼ直交する板片であって横片３１１の幅方向両側から高さ方向の低い側へ延びる縦片３１２とを備えている。そして、カバー片３１０を開放体２２２の開放部に挿入すると、カバー片３１０の弾性により、縦片３１２が開放体２２２の幅方向両側の面に接触力をもって接触し、カバー片３１０が圧入状態で開放体２２２に取り付けられる。この場合、縦片３１２の低い側の先端が開放体２２２の内面に突き当たっているが、この内面に突き当たっていなくてもよい。そして、開放体２２２とカバー片３１０とにより、嵌合体２２１の内部空間に連通する内部空間が形成される。カバー片は、基本シェルの開放体を開放側から覆い、嵌合体の内部空間に連通する内部空間を形成するように基本シェルに取り付けられるものであれば他の構造であってもよい。支持片３２０は、高い側に向かって凸に湾曲する板片である。支持片３２０は、シールドケーブル４００と突き当てシールドコネクタＹが互いに離れる方向へ引っ張られたときに、支持片３２０の先端が反転終端における外部導体４２０の折り返し部分に突き当たり、外部導体４２０が突き当てシールドコネクタＹから離れる方向へ引きずられることを阻止する機能を発揮する。したがって、図５及び図７に示すように、支持片３２０は、突き当てシールドコネクタＹがシールドケーブル４００の反転終端に接続された状態で、外部導体４２０に接触していることが好ましいが、若干の隙間が空いていてもよい。また、支持片３２０の高い側の面の曲率は、外部導体４２０の高い部分における曲率にほぼ合っていることが接触面積を広くとることができて好ましいが、そうしなくてもよい。カバー片３１０の開放体２２２への連結強度は、支持片３２０が外部導体４２０から受ける反力を充分に受け止められるように設定される。本発明の支持片の形状は、例えば平面状又は他の形状であってもよく、この実施形態によって支持片の形状が限定解釈されることはない。
【００２５】
突き当てシールドコネクタＹは、相手側シールドコネクタ（図示省略）に接続し、また相手側シールドコネクタから外すようにしている。この相手側シールドコネクタは、絶縁性のハウジングと、このハウジングに設けられた導電性のコンタクトと、ハウジング及びコンタクトを覆うように設けられた導電性のシェルとを備えており、ハウジングには嵌合部が凹んで設けられている。そして、突き当てシールドコネクタＹの嵌合部２１１を相手側シールドコネクタの嵌合部に挿入すると、凹凸嵌合により突き当てシールドコネクタＹを相手側シールドコネクタに接続し、両コネクタのコンタクトの接触部同士が接触し、突き当てシールドコネクタＹの基本シェル２２０又はカバーシェル３００が相手側シールドコネクタのシェルに接触するようになっている。また、突き当てシールドコネクタＹを相手側シールドコネクタから引き離すと、突き当てシールドコネクタＹは相手側シールドコネクタから外れる。この実施形態では、突き当てシールドコネクタＹのハウジング２１０に嵌合部２１１を突出させて設け、相手側シールドコネクタのハウジングに嵌合部を凹ませて設けたが、逆に突き当てシールドコネクタのハウジングに嵌合部を凹ませて設け、相手側シールドコネクタのハウジングに嵌合部を突出させて設けてもよく、また他の接続構造であってもよい。この相手側シールドコネクタの構成により本発明の突き当てシールドコネクタが接続する相手側シールドコネクタが限定解釈されることはなく、相手側シールドコネクタは本発明の突き当てシールドコネクタが接続でき、そのときにコンタクト同士が接触できる構成であればよい。
【００２６】
次に、上記第１実施形態の突き当てシールドコネクタ組立キットＸの作用及び効果を説明する。まず、図３に示すように、コンタクト１００をシールドケーブル４００の反転終端における内部導体４１１に接続する。そして、図４に示すように、この内部電線付きのコンタクト１００をハウジング２１０に奥行き方向の手前側から取り付け、シールドケーブル４００の反転終端をバレル２２３のなかに配置する。次いで、カバーシェル３００のカバー片３１０で基本シェル２２０の開放体２２２を開放側から覆い、カバー片３１０を基本シェル２２０に取り付けると、カバーシェル３００の支持片３２０の先端が、反転終端におけるほぼ外部導体４２０の折り返し部分に相当する高さに位置づけられる。そして、図５に示すように、かしめ片２２３ａを、反転終端における折り返された外部導体４２０に締め付け力をもって抱き付かせて反転終端にバレル２２３を圧着接続する。そうすると、シールドケーブル４００と、このシールドケーブル４００の反転終端に接続された突き当てシールドコネクタＹとを備えたシールドケーブルハーネスＺができる。そして、この突き当てシールドコネクタＹを相手側シールドコネクタに接続すると、コンタクト１００が相手側シールドコネクタのコンタクトと接触する。また、外部導体４２０が基本シェル２２０及びカバーシェル３００に導通するので、基本シェル２２０又はカバーシェル３００が相手側シールドコネクタの導電部に接触するようにすれば、両方のシールドコネクタのシールドが良好に行われる。
【００２７】
図８に示すように、シールドケーブル４００と突き当てシールドコネクタＹが互いに離れる方向へ引っ張られると、かしめ片２２３ａが、それが抱き付いている折り返された外部導体４２０を突き当てシールドコネクタ側へ持っていき、さらに外部絶縁被覆４３０のなかの内部電線４１０及び外部導体４２０が突き当てシールドコネクタＹから離れる方向へ引っ張られるが、支持片３２０の先端が反転終端における外部導体４２０の折り返し部分に突き当たり、外部導体４２０が突き当てシールドコネクタＹから離れる方向へ引きずられることを阻止するので、シールドケーブル４００と突き当てシールドコネクタＹが互いに離れる方向へ移動することが防止される。そのため、シールドケーブル４００と突き当てシールドコネクタＹとの引っ張りに対する接続強度が確保される。その場合、突き当てシールドコネクタＹと別にフェルールを設ける必要がないので、突き当てシールドコネクタＹとシールドケーブル４００との接続に要する部品点数が減る。また、シールドケーブル４００の外部導体４２０の内側に円筒形のフェルールを設けるときにはシールドコネクタをシールドケーブルに接続する前に予めフェルールをシールドケーブルに通しておく必要がある。これに対し、この実施形態の突き当てシールドコネクタ組立キットＸを用いれば、支持片３２０を反転終端における外部導体４２０の高い部分と内部電線４１０との間に挿入し、カバーシェル３００のカバー片３１０で基本シェル２２０の開放体２２２を開放側から覆い、カバー片３１０を基本シェル２２０に取り付ければよいので、シールドケーブル４００への突き当てシールドコネクタＹの接続作業が比較的容易であり、接続作業性がよい。
【００２８】
この第１実施形態の突き当てシールドコネクタ組立キットＸは、基本シェル２２０をハウジング２１０と分離して用意するのではなく、基本シェル２２０の嵌合体２２１をハウジング２１０の少なくとも一部に外側から嵌めて、ハウジング２１０と基本シェル２２０とにより、コネクタ本体２００を構成したので、ハウジング２１０の基本シェル２２０への組み付けが不要となり、また突き当てシールドコネクタ組立キットＸの部品点数が減る。一方、この第１実施形態の突き当てシールドコネクタ組立キットＸにおいて基本シェルをハウジングと分離して用意した突き当てシールドコネクタ組立キットも本発明の突き当てシールドコネクタ組立キットに属する。そうしたときには、基本シェルに邪魔されることなく内部電線のコンタクトへの接続、又はコンタクトのハウジングへの取り付けが行われるので、作業性がよい。
【００２９】
この第１実施形態の突き当てシールドコネクタ組立キットＸは、コンタクト１００をハウジング２１０と分離して用意したので、内部電線４１０のコンタクト１００への接続を圧着により行うときに接続作業がしやすく、圧着コンタクトの使用時に好適である。一方、この第１実施形態の突き当てシールドコネクタ組立キットＸにおいてコンタクトをハウジングに取り付けてなる突き当てシールドコネクタ組立キットも本発明の突き当てシールドコネクタ組立キットに属する。そうしたときには、例えば、内部電線のコンタクトへの接続をハンダ付けにより行うとき、圧接により行うとき、又はピアシングにより行うときなどに、接続作業がしやすく、しかも内部電線付きのコンタクトをハウジングに奥行き方向の手前側から取り付ける手間が省けることから、これらのコンタクトの使用時に好適である。
【００３０】
以下、他の実施形態の突き当てシールドコネクタ組立キットＸ及びシールドケーブルハーネスＺを説明する。これらの実施形態の説明では、第１実施形態の突き当てシールドコネクタ組立キットＸ及びシールドケーブルハーネスＺと同一の機能を発揮する部材、部分には第１実施形態で用いた符号と同一の符号を付して、その説明を省略することにする。図９ないし図１２は第２実施形態を示す。この実施形態の突き当てシールドコネクタ組立キットＸは、第１実施形態の突き当てシールドコネクタ組立キットＸに対し、次の点で構成が異なっているが、それ以外は同一の構成である。まず、基本シェル２２０がハウジング２１０と分離して用意されている。また、コンタクト１００がハウジング２１０と分離して用意されるのではなく、コンタクト１００がハウジング２１０に取り付けられている。したがって、この実施形態の突き当てシールドコネクタ組立キットＸは、コンタクト１００が設けられたハウジング２１０と、基本シェル２２０と、カバーシェル３００とを備えている。さらに、コンタクト１００が圧着形ではなく、内部電線４１０のコンタクト１００への接続をハンダ付けにより行うようにしている。
【００３１】
この実施形態のコンタクト１００の接続部１２０はハンダ付けが可能な形状に形成されている。すなわち、ワイヤバレル１２１もインシュレーションバレル１２２も設けられておらず、接続部１２０の高い側の面はほぼ平面に形成されている。しかし、接続部の形状はこれに限定されず、ハンダ付けが可能な形状であればよい。そして、シールドケーブル４００の終端の内部導体４１１を接続部１２０にハンダ付けすることで、シールドケーブル４００の終端の内部導体４１１がコンタクト１００の接続部１２０に接続される。
【００３２】
ハウジング２１０の奥行き方向の奥側には嵌合部２１１が突出している。また、ハウジング２１０にはコンタクト１００が装着される収容部２１２が設けられており、ここに上記コンタクト１００が奥行き方向に挿入され、取り付けられている。この収容部２１２はハウジング２１０を奥行き方向に貫通し、さらに嵌合部２１１の高さ方向の一方側の面では溝となっている。そして、収容部２１２に奥行き方向に沿ってコンタクト１００を挿入すると、コンタクト１００の接触部１１０が収容部２１２の溝に嵌り、ハウジング２１０の奥行き方向奥側において高さ方向の一方側に露出すると共に、コンタクト１００の接続部１２０が収容部２１２の溝に嵌り、ハウジング２１０の奥行き方向手前側において高さ方向の一方側に露出するようになっている。収容部２１２は、コンタクト１００の数に応じた数だけあり、この実施形態では二つ設けられている。収容部２１２は幅方向に並べられているが、これによって本発明の突き当てシールドコネクタ組立キットのハウジングにおける収容部の配列が限定解釈されることはない。
【００３３】
第２実施形態の基本シェル２２０及びカバーシェル３００は、第１実施形態の基本シェル２２０及びカバーシェル３００と構成が同一である。基本シェル２２０の嵌合体２２１は、シールドケーブル４００の終端の内部導体４１１をコンタクト１００にハンダ付けしたあとでハウジング２１０に嵌合されて固定され、ハウジング２１０を覆う。
【００３４】
次に、上記第２実施形態の突き当てシールドコネクタ組立キットＸの作用及び効果を説明する。まず、図１０に示すように、シールドケーブル４００の反転終端における内部導体４１１を、ハウジング２１０に取り付けられたコンタクト１００の接続部１２０にハンダ付けにより接続する。そして、図１１に示すように、この内部電線付きのコンタクト１００及びハウジング２１０を基本シェル２２０の奥行き方向手前から奥へ入れ、ハウジング２１０を基本シェル２２０の嵌合体２２１に嵌合して固定する。そうすると、シールドケーブル４００の反転終端がバレル２２３のなかに配置される。次いで、カバーシェル３００のカバー片３１０で基本シェル２２０の開放体２２２を開放側から覆い、カバー片３１０を基本シェル２２０に取り付けると、カバーシェル３００の支持片３２０の先端が、反転終端におけるほぼ外部導体４２０の折り返し部分に相当する高さに位置づけられる。そして、図１２に示すように、かしめ片２２３ａを、反転終端における折り返された外部導体４２０に締め付け力をもって抱き付かせて反転終端にバレル２２３を圧着接続する。そうすると、シールドケーブル４００と、このシールドケーブル４００の反転終端に接続された突き当てシールドコネクタＹとを備えたシールドケーブルハーネスＺができる。そして、この突き当てシールドコネクタＹを相手側シールドコネクタに接続すると、コンタクト１００が相手側シールドコネクタのコンタクトと接触する。また、外部導体４２０が基本シェル２２０及びカバーシェル３００に導通するので、基本シェル２２０又はカバーシェル３００が相手側シールドコネクタの導電部に接触するようにすれば、両方のシールドコネクタのシールドが良好に行われる。
【００３５】
シールドケーブル４００と突き当てシールドコネクタＹが互いに離れる方向へ引っ張られると、かしめ片２２３ａが、それが抱き付いている折り返された外部導体４２０を突き当てシールドコネクタ側へ持っていき、さらに外部絶縁被覆４３０のなかの内部電線４１０及び外部導体４２０が突き当てシールドコネクタＹから離れる方向へ引っ張られるが、支持片３２０の先端が反転終端における外部導体４２０の折り返し部分に突き当たり、外部導体４２０が突き当てシールドコネクタＹから離れる方向へ引きずられることを阻止するので、シールドケーブル４００と突き当てシールドコネクタＹが互いに離れる方向へ移動することが防止される。そのため、シールドケーブル４００と突き当てシールドコネクタＹとの引っ張りに対する接続強度が確保される。その場合、突き当てシールドコネクタＹと別にフェルールを設ける必要がないので、突き当てシールドコネクタＹとシールドケーブル４００との接続に要する部品点数が減る。また、シールドケーブル４００の外部導体４２０の内側に円筒形のフェルールを設けるときにはシールドコネクタをシールドケーブルに接続する前に予めフェルールをシールドケーブルに通しておく必要がある。これに対し、この実施形態の突き当てシールドコネクタ組立キットＸを用いれば、支持片３２０を反転終端における外部導体４２０の高い部分と内部電線４１０との間に挿入し、カバーシェル３００のカバー片３１０で基本シェル２２０の開放体２２２を開放側から覆い、カバー片３１０を基本シェル２２０に取り付ければよいので、シールドケーブル４００への突き当てシールドコネクタＹの接続作業が比較的容易であり、接続作業性がよい。
【００３６】
この第２実施形態の突き当てシールドコネクタ組立キットＸは、基本シェル２２０をハウジング２１０と分離して用意したので、基本シェル２２０に邪魔されることなく内部電線４１０のコンタクト１００への接続が行われることから、作業性がよい。一方、この第２実施形態の突き当てシールドコネクタ組立キットＸにおいて基本シェルをハウジングと分離して用意するのではなく、基本シェルの嵌合体をハウジングの少なくとも一部に外側から嵌めて、ハウジングと基本シェルとにより、コネクタ本体を構成した突き当てシールドコネクタ組立キットも本発明の突き当てシールドコネクタ組立キットに属する。そうしたときには、ハウジングの基本シェルへの組み付けが不要となり、また突き当てシールドコネクタ組立キットの部品点数が減る。
【００３７】
この第２実施形態の突き当てシールドコネクタ組立キットＸは、コンタクトをハウジングと分離して用意するのではなく、コンタクト１００をハウジング２１０に取り付けたので、内部電線４１０のコンタクト１００への接続をハンダ付けにより行うときに接続作業がしやすく、これらのコンタクト１００の使用時に好適である。同様に、内部電線のコンタクトへの接続を圧接により行うとき、又はピアシングにより行うときなどに、接続作業がしやすく、これらのコンタクトの使用時に好適である。一方、この第２実施形態の突き当てシールドコネクタ組立キットＸにおいてコンタクトをハウジングと分離して用意した突き当てシールドコネクタ組立キットも本発明の突き当てシールドコネクタ組立キットに属する。そうしたときには、内部電線のコンタクトへの接続を圧着により行うときに接続作業がしやすく、圧着コンタクトの使用時に好適である。
【００３８】
図１３ないし図１６は第３実施形態を示す。第２施形態の突き当てシールドコネクタ組立キットＸでは内部電線４１０のコンタクト１００への接続をハンダ付けにより行ったが、第３実施形態の突き当てシールドコネクタ組立キットＸでは、コンタクト１００が圧接形になっている。それ以外は第２実施形態の突き当てシールドコネクタ組立キットＸと同一の構成である。
【００３９】
この実施形態のコンタクト１００の接続部１２０は、Ｕ字形の切り刃を備えた公知のスロットであり、シールドケーブル４００の終端の内部電線４１０を高さ方向に沿ってスロットに押し付けると、スロットの切り刃が内部絶縁被覆４１２を破って内部導体４１１に接触し、シールドケーブル４００の終端の内部導体４１１がコンタクト１００のスロット、つまり接続部１２０に接続される。
【００４０】
上記第３実施形態の突き当てシールドコネクタ組立キットＸの作用及び効果は、内部導体４１１のコンタクト１００への接続形態を除けば、第２実施形態の突き当てシールドコネクタ組立キットＸの作用及び効果と同一である。すなわち、まず、図１４に示すように、シールドケーブル４００の反転終端における内部導体４１１を、ハウジング２１０に取り付けられたコンタクト１００の接続部１２０に高さ方向に沿って高い側から低い側へ押し付け、内部電線４１０を接続部１２０に圧接により接続する。そして、図１５に示すように、ハウジング２１０を基本シェル２２０の嵌合体２２１に嵌合して固定し、カバーシェル３００を基本シェル２２０に取り付け、図１６に示すように、かしめ片２２３ａにより反転終端にバレル２２３を圧着接続すると、シールドケーブルハーネスＺができる。その他は記載を省略する。
【００４１】
以上の実施形態の記載により、次のシールドケーブルハーネスＺも充分に開示された。すなわち、このシールドケーブルハーネスＺは、内部導体４１１を内部絶縁被覆４１２で覆ってなる内部電線４１０と、この内部電線４１０を覆う外部導体４２０と、この外部導体４２０を覆う外部絶縁被覆４３０とを有し、終端が、外部絶縁被覆４３０から露出した外部導体４２０を外部絶縁被覆４３０の外側に折り返し且つ外部導体４２０から内部電線４１０を露出させてなる反転終端となったシールドケーブル４００と、このシールドケーブル４００の反転終端に接続された突き当てシールドコネクタＹとを備えている。そして、このシールドケーブルハーネスＺの突き当てシールドコネクタＹは、内部導体４１１が接続された導電性のコンタクト１００と、互いに直交する奥行き方向、幅方向、及び高さ方向をとったときに、このコンタクト１００が奥行き方向の手前側から取り付けられた絶縁性のハウジング２１０と、このハウジング２１０の少なくとも一部に外側から嵌まった嵌合体２２１と、この嵌合体２２１の奥行き方向手前側に配置されて嵌合体２２１に一体的に設けられ、高さ方向の高い側に向かって開放された開放体２２２と、この開放体２２２の奥行き方向手前側に配置されて開放体２２２に一体的に設けられ、高さ方向の高い側へ立ち上がり、反転終端の折り返された外部導体４２０に締め付け力をもって抱き付いたかしめ片２２３ａを有して反転終端に圧着接続したバレル２２３とを備えた導電性の基本シェル２２０と、この基本シェル２２０の開放体２２２を開放側から覆い、嵌合体２２１の内部空間に連通する内部空間を形成するように基本シェル２２０に取り付けられたカバー片３１０と、このカバー片３１０の奥行き方向手前側へ延び、先端が反転終端におけるほぼ外部導体４２０の折り返し部分に相当する高さに位置づけられた支持片３２０とを有する導電性のカバーシェル３００とを備えている。
【００４２】
上記実施形態の突き当てシールドコネクタ組立キットＸのコンタクト１００、基本シェル２２０、及びカバーシェル３００はいずれも金属製であるが、導電性であれば他の材料で形成してもよい。また、上記実施形態の突き当てシールドコネクタ組立キットＸは複数の極を設けたが、単極であってもよい。これらのことは、上記実施形態のシールドケーブルハーネスＺについても同様に適用される。本発明の突き当てシールドコネクタ組立キットは、以上の実施形態の突き当てシールドコネクタ組立キットの特徴を組み合わせた実施形態を全て含む。本発明のシールドケーブルハーネスは、以上の実施形態の突き当てシールドコネクタの特徴を組み合わせた実施形態を全て含む。
【図面の簡単な説明】
【００４３】
【図１】第１実施形態の突き当てシールドコネクタ組立キットを構成する部材の斜視図である。
【図２】第１実施形態の突き当てシールドコネクタ組立キットのコネクタ本体を構成する部材の斜視図である。
【図３】第１実施形態の突き当てシールドコネクタ組立キットのコンタクト及びコネクタ本体の斜視図である。コンタクトにシールドケーブルの内部電線を接続している。
【図４】第１実施形態の突き当てシールドコネクタ組立キットのコンタクト、コネクタ本体、及びカバーシェルの斜視図である。シールドケーブルの内部電線に接続されたコンタクトをコネクタ本体のハウジングに取り付け、カバーシェルをコネクタ本体の基本シェルに取り付けようとしている。
【図５】第１実施形態のシールドケーブルハーネスの斜視図である。
【図６】第１実施形態で用いたシールドケーブルの拡大端面図である。
【図７】第１実施形態のシールドケーブルハーネスの拡大断面図である。
【図８】第１実施形態のシールドケーブルハーネスの拡大断面図であり、シールドケーブルと突き当てシールドコネクタが互いに離れる方向へ引っ張られたときの各部材の動きを矢印で説明している。
【図９】第２実施形態の突き当てシールドコネクタ組立キットのコンタクト、ハウジング、基本シェル及びカバーシェル、並びにシールドケーブルの終端の斜視図である。
【図１０】第２実施形態の突き当てシールドコネクタ組立キットのコンタクト及びハウジングの斜視図である。コンタクトにシールドケーブルの内部電線を接続している。
【図１１】第２実施形態の突き当てシールドコネクタ組立キットのコンタクト、ハウジング、基本シェル及びカバーシェルの斜視図である。シールドケーブルの内部電線をハウジングのコンタクトに接続し、ハウジングに基本シェルを取り付け、カバーシェルを基本シェルに取り付けようとしている。
【図１２】第２実施形態のシールドケーブルハーネスの斜視図である。
【図１３】第３実施形態の突き当てシールドコネクタ組立キットのコンタクト、ハウジング、基本シェル及びカバーシェル、並びにシールドケーブルの終端の斜視図である。
【図１４】第３実施形態の突き当てシールドコネクタ組立キットのコンタクト及びハウジングの斜視図である。コンタクトにシールドケーブルの内部電線を接続している。
【図１５】第３実施形態の突き当てシールドコネクタ組立キットのコンタクト、ハウジング、基本シェル及びカバーシェルの斜視図である。シールドケーブルの内部電線をハウジングのコンタクトに接続し、ハウジングに基本シェルを取り付け、カバーシェルを基本シェルに取り付けようとしている。
【図１６】第３実施形態のシールドケーブルハーネスの斜視図である。
【符号の説明】
【００４４】
Ｘ        突き当てシールドコネクタ組立キット
１００    コンタクト
２００    コネクタ本体
２１０    ハウジング
２２０    基本シェル
２２１    嵌合体
２２２    開放体
２２３    バレル
２２３ａ  かしめ片
３００    カバーシェル
３１０    カバー片
３２０    支持片
４００    シールドケーブル
４１０    内部電線
４１１    内部導体
４１２    内部絶縁被覆
４２０    外部導体
４３０    外部絶縁被覆
Ｙ        突き当てシールドコネクタ
Ｚ        シールドケーブルハーネス
【図１】
0005064983.tif 000002
【図２】
0005064983.tif 000003
【図３】
0005064983.tif 000004
【図４】
0005064983.tif 000005
【図５】
0005064983.tif 000006
【図６】
0005064983.tif 000007
【図７】
0005064983.tif 000008
【図８】
0005064983.tif 000009
【図９】
0005064983.tif 000010
【図１０】
0005064983.tif 000011
【図１１】
0005064983.tif 000012
【図１２】
0005064983.tif 000013
【図１３】
0005064983.tif 000014
【図１４】
0005064983.tif 000015
【図１５】
0005064983.tif 000016
【図１６】
0005064983.tif 000017